(57)【要約】      （修正有）【課題】カートリッジの交換が容易であり、各フィルタの交換サイクルが短い浄水器を提供する。【解決手段】浄水器１は、ケース２内には、作用が異なる第一フィルタ２０と第二フィルタ４０とを連設してなるカートリッジ８が設けられたことにより、カートリッジ８の交換作業が容易である。このうち第一フィルタ２０は、円筒状に形成された第一パイプ２２外周を、水道管の錆や汚れ、浄水場で除去しきれなかった濁り等を低減すると共に、後段の第二フィルタ４０の浄化能力を発揮させる赤水除去用の第一ろ過材２１で覆ったもので、先端側にはケース２内周より外径が小さく、ケース２内周と第一ろ過材２１外周との間で水道水２６の流下を可能とする第一密封板２４が設けられている。一方、後端側には、ケース２内周より小さく、第一ろ過材２１外周との間で水道水２６の一部が後段に流下し、更に第一密封板２４よりも外径の大きい第一仕切り板２５が設けられている。【選択図】図３
0003195046.tif 000002
【実用新案登録請求の範囲】
【請求項１】
筒状のケースの一端から流れ込み、他端から排出して水を浄化する浄水器であって、
ケース内には、作用が異なる複数のフィルタを連設してなるカートリッジが設けられたことを特徴とする浄水器。
【請求項２】
フィルタは、主に赤水を除去する前段フィルタと、主に塩素を除去する後段フィルタとの２つであることを特徴とする請求項１に記載の浄水器。
【請求項３】
前記ケース内では、前記水が前記ケース内周と各フィルタ全周辺部との間に流れ込み、各フィルタ中心部から浄水として排出する構造とし、フィルタ間には、前段フィルタに流れ込む前の水の一部を、後段フィルタに流下可能とする第一仕切り板を配設したことを特徴とする請求項１又は２に記載の浄水器。
【請求項４】
前記後段フィルタ以降には、前記前段フィルタで浄化した第一浄化水の一部を前記後段フィルタに流れ込む前に前記後段フィルタの下流側へ流下可能とする第二仕切り板を配設し、その後方には、前記第一浄化水を前記後段フィルタで浄化した第二浄化水に混合する調整孔が設けられたことを特徴とする請求項３に記載の浄水器。
【考案の詳細な説明】
【技術分野】
【０００１】
本考案は、水道水を浄化する浄水器に関する。
【背景技術】
【０００２】
従来より、浄水器としては、水がカートリッジ内のフィルタ全周辺部に流れ込み、中空部から排出されることで浄化するものが知られている（特許文献１）。
【先行技術文献】
【特許文献】
【０００３】
【特許文献１】特開２００７−６１７８８号公報
【考案の概要】
【考案が解決しようとする課題】
【０００４】
しかしながら、このような浄水器では、材質の異なるフィルタで構成したカートリッジを二つ並べて順に水を浄化すると、より浄化能力を上げることが可能であるものの、各カートリッジ内に装着されたフィルタを交換する際には、カートリッジが個別に分かれていることから、それぞれを分解してカートリッジを取り外す作業が必要であり、交換が非常に不便であった。また、カートリッジが大型であることから各フィルタの交換サイクルが長期化するという問題もあった。
【０００５】
そこで、本考案の目的は、上記従来の浄水器の問題点を解消し、カートリッジの交換が容易であり、各フィルタの交換サイクルが短い浄水器を提供することにある。
【課題を解決するための手段】
【０００６】
本考案のうち、請求項１に記載された考案は、筒状のケースの一端から流れ込み、他端から排出して水を浄化する浄水器であって、
ケース内には、作用が異なる複数のフィルタを連設してなるカートリッジが設けられたことを特徴とするものである。
【０００７】
請求項２に記載された考案は、請求項１に記載の考案に加え、フィルタは、主に赤水を除去する前段フィルタと、主に塩素を除去する後段フィルタとの２つであることを特徴とするものである。
【０００８】
請求項３に記載された考案は、請求項１又は２に記載の考案に加え、前記ケース内では、前記水が前記ケース内周と各フィルタ全周辺部との間に流れ込み、各フィルタ中心部から浄水として排出する構造とし、フィルタ間には、前段フィルタに流れ込む前の水の一部を、後段フィルタに流下可能とする第一仕切り板を配設したことを特徴とするものである。
【０００９】
請求項４に記載された考案は、請求項３に記載の考案に加え、前記後段フィルタ以降には、前記前段フィルタで浄化した第一浄化水の一部を前記後段フィルタに流れ込む前に前記後段フィルタの下流側へ流下可能とする第二仕切り板を配設し、その後方には、前記第一浄化水を前記後段フィルタで浄化した第二浄化水に混合する調整孔が設けられたことを特徴とするものである。
【考案の効果】
【００１０】
請求項１に記載された浄水器は、カートリッジの交換作業が容易である。また、各フィルタが小型であることからカートリッジの交換サイクルを短かくすることも可能である。
【００１１】
請求項２に記載された浄水器は、浄化能力を上げることが可能である。
【００１２】
請求項３に記載された浄水器は、フィルタ間で水の流下を妨げることがなく、浄水の安定した供給が可能である。
【００１３】
請求項４に記載された浄水器は、浄水の塩素濃度を上げることから、配管内で菌の繁殖を防ぐことが可能である。
【図面の簡単な説明】
【００１４】
【図１】浄水器を示す説明図である。
【図２】（ａ）は浄水器を縦立した状態で水道管に設置した状態を示し、（ｂ）は浄水器を水平な状態で水道管に設置した状態を示す説明図である。
【図３】浄水器の断面と水の流れを示した説明図である。
【考案を実施するための形態】
【００１５】
以下、本考案の浄水器の一実施形態について、図面に基づいて詳細に説明する。
【００１６】
図１は、浄水器を示す説明図である。図２は、浄水器を水道管に設置した状態を示す説明図である。図３は、浄水器の断面と水の流れを示した説明図である。
【００１７】
先ず初めに、図１に示すように、浄水器１は、浄水用のカートリッジ８を内部に装着したステンレス製のケース２両端を、フランジ付きの蓋体３，５で閉塞したものである。この浄水器１は、図２（ａ）に示すように、家屋等に入る前の水道管６０に接続し、蓋体３の流入口４からケース２内に水道水７（原水）を流入させてカートリッジ８で浄化した後、蓋体５の排出口６から排出して浄水として使用するものである。
【００１８】
次に、図３の浄水器１の断面図に示すように、筒状のケース２内には、浄水器１内に流入した水道水７を最初に浄化する第一フィルタ２０と、第一フィルタ２０で浄化した水道水を更に浄化する第二フィルタ４０とを連設して構成し、ケース２から着脱可能とするカートリッジ８が取り付けられている。この第一フィルタ２０が、本考案の前段フィルタであり、第二フィルタ４０が後段フィルタである。
【００１９】
そして、このうち第一フィルタ２０は、円筒状に形成された第一パイプ２２外周を、水道管の錆や汚れ、浄水場で除去しきれなかった濁り等を低減すると共に、後段の第二フィルタ４０の浄化能力を発揮させる赤水除去用の第一ろ過材２１で覆ったもので、先端側にはケース２内周より外径が小さく、ケース２内周と第一ろ過材２１外周との間で水道水２６の流下を可能とする第一密封板２４が設けられている。一方、後端側には、ケース２内周より小さく、第一ろ過材２１外周との間で水道水２６の一部が後段に流下し、更に第一密封板２４よりも外径の大きい第一仕切り板２５が設けられている。また、第一パイプ２２には、流水孔２３，２３・・が、周方向に複数設けられるとともに、軸方向の後方にも一定の間隔を隔てて設けられている。
【００２０】
一方、第二フィルタ４０は、円筒状に形成された第二パイプ４２外周を、残留塩素やカルキ臭、水道水に溶け込んだ有機化合物や鉛、農薬等を低減するＡＣＦ（繊維状活性炭）と、ヤシガラ活性炭とを混合して一体化した浄水用の第二ろ過材４１で覆ったもので、先端側には、ケース２内周より外径が小さく、ケース２内周と第二ろ過材４１外周との間で第一浄水４６を流下可能とする第二密封板４４が設けられている。一方、後端には、ケース２内周より小さく、第二ろ過材４１外周との間で第一浄水４６の一部を後段に流下可能とし、更に第二密封板４４と第二仕切り板４５が設けられている。また、第二パイプ４２には、流水孔４３，４３・・が、周方向に複数穿設されるとともに、軸方向の後方にも一定の間隔を隔てて設けられている。
【００２１】
そして、蓋体３の流入口４と第一フィルタ２０との間には、円筒状に形成された第一センターパイプ１０が接続されている。この第一センターパイプ１０と第一パイプ２２との間には、第一センターパイプ１０内から第一パイプ２２内にそのまま水道水７が流入しないように第一パイプ２２先端を閉塞する第一止水栓１２が設けられている。また、第一センターパイプ１０には、流水孔１１，１１・・が周方向に複数穿設されている。
【００２２】
次に、第一フィルタ２０と第二フィルタ４０との間には、円筒状に形成された第二センターパイプ３０が接続されている。この第二センターパイプ３０には、第二センターパイプ３０内から第二パイプ４２内にそのまま第一浄水２７が流入しないように第二パイプ４２先端を閉塞する第二止水栓３２が設けられている。また、第二センターパイプ３０には、流水孔３１，３１・・が周方向に複数穿設されている。
【００２３】
他にも、第二フィルタ４０と蓋体５との間には、円筒状に形成された第三センターパイプ５０が接続されており、この第三センターパイプ５０には、塩素の濃度を調整する調整孔５１が穿設されている。
【００２４】
このようにして構成する浄水器１による水道水７の浄化は、以下のように行われる。
先ず初めに、図３に示すように、水道管内を流れる水道水７が、蓋体３の流入口４から第一センターパイプ１０へと流入する。この時、第一センターパイプ１０後端と第一パイプ２２先端との間が、第一止水栓１２で閉塞されていることから、水道水７が流水孔１１，１１・・から矢印１５の示す方向に分散して流出する。
【００２５】
その後、水道水７は、ケース２内周と第一密封板２４との間に流れ込み、赤水除去フィルタ２１全周辺部から矢印２６の示す方向に浸透して浄化された後、流入孔２３，２３・・から第一パイプ２２内へ第一浄水２７として流入し、第二センターパイプ３０へ流れ込む。この時、水道水７の一部が、矢印２８が示すように、ケース２内周と第一仕切り板２５との間から後段の第二センターパイプ３０側にそのまま流下する。
【００２６】
次に、第二センターパイプ３０内に流入した第一浄水２７は、第二センターパイプ３０後端が第二止水栓３２で閉塞されていることから、流水孔３１，３１・・から矢印３５の示す方向に分散して流出する。その後、第一浄水２７は、ケース２内周と第二密封板４４との間に流れ込み、浄水フィルタ４１全周辺部から矢印４６の示す方向に浸透して浄化された後、流入孔４７，４７・・から第二パイプ４２内へ第二浄水４７として流出し、第三センターパイプ５０へ流れ込む。
【００２７】
この時、第一浄水２７の一部は、矢印４８が示すように、ケース２内周と第二仕切り板４５との間から後段の第三センターパイプ５０側にそのまま流下し、第三センターパイプ５０の調整孔５１から流入する。そして、流入した第一浄水２７を第二浄水４７に注水した後、第三浄水５５として蓋体５の排出口６から排出される。
【００２８】
上記の如く構成される浄水器１は、ケース２内には、作用が異なる第一フィルタ２０と第二フィルタ４０とを連設してなるカートリッジ８が設けられたことにより、カートリッジ８の交換作業が容易である。また、各フィルタが小型であることからカートリッジ８の交換サイクルを短かくすることも可能である。
【００２９】
また、フィルタは、主に赤水を除去する第一フィルタ２０と、主に塩素を除去する第二フィルタ４０との２つであることにより、浄化能力を上げることが可能である。
【００３０】
他にも、ケース２内では、ケース２内周と第一フィルタ２０全周辺部との間に流れ込み、第一フィルタ２０の第一パイプ２２から第一浄水２７として排出し、この第一浄水２７がケース２内周と第二フィルタ４０全周辺部との間に流れ込み、第二フィルタ４０の第二パイプ４２から第二浄水４７として排出する構造とし、第一フィルタ２０と第二フィルタ４０との間には、第一フィルタ２０に流れ込む前の水道水２６の一部を、第二フィルタ４０に流下可能とする第一仕切り板２５を配設したことにより、第一フィルタ２０と第二フィルタ４０との間で水の流下を妨げることがなく、第三浄水５５の安定した供給が可能である。
【００３１】
更に、第二フィルタ４０以降には、第一フィルタ２０で浄化した第一浄水２７の一部を第二フィルタ４０に流れ込む前に第二フィルタ４０の下流側へ流下可能とする第二仕切り板４５を配設し、その後方には、第一浄水２７を第二フィルタ４０で浄化した第二浄水４７に混合する調整孔５１が設けられたことにより、第三浄水５５の塩素濃度を上げることから、配管内で菌の繁殖を防ぐことが可能である。
【００３２】
なお、本考案にかかる浄水器の構成は、上記した実施の形態に何ら限定されるものではなく、本発明の趣旨を逸脱しない範囲で、ケースやフィルタ、カートリッジの大きさや厚み、形状等を適宜変更することができる。
【００３３】
例えば、図２（ｂ）に示すように、浄水器１は、縦立した状態で使用する必要はなく、水平な状態で使用しても良く、適宜変更可能である。
【００３４】
また、カートリッジ８は、第一フィルタ２０と第二フィルタ４０の二つのみを連設したものである必要はなく、水の流下が妨げられず、浄水の安定した供給が可能であれば、これらに加えて更にフィルタを追加しても良く、適宜変更可能である。
【００３５】
他にも、ケース２内周と第一仕切り板２５との隙間から水道水７の一部の流れ込みや、ケース２内周と第二仕切り板４５との隙間から第一浄水４６の一部の流れ込みは、必ず隙間を設ける構造である必要はなく、各仕切り板に切り欠きや孔等を設けて水が流下する構造としても良く、適宜変更可能である。
【００３６】
また、ケース２の形状は、図１に示すような直線状のものだけでなく、カートリッジ８を着脱可能とするものであれば、Ｕ字状やＬ字状に形成したものであっても良く、適宜変更可能である。
【符号の説明】
【００３７】
１・・浄水器、２・・ケース、３・・蓋体（入口側）、４・・流入口、５・・蓋体（出口側）、６・・排出口、７・・水道水、８・・カートリッジ、１０・・第一センターパイプ、１１・・流水孔、１２・・第一止水栓、１５・・矢印、２０・・第一フィルタ、２１・・第一ろ過材（赤水除去用）、２２・・第一パイプ、２３・・流水孔、２４・・第一密封板、２５・・第一仕切り板、２６・・矢印、２７・・第一浄水、２８・・矢印、３０・・第二センターパイプ、３１・・流水孔、３２・・第二止水栓、３５・・矢印、４０・・第二フィルタ、４１・・第二ろ過材（浄水用）、４２・・第二パイプ、４３・・流水孔、４４・・第二密封板、４５・・第二仕切り板、４６・・矢印、４７・・第二浄水、４８・・矢印、５０・・第三センターパイプ、５１・・調整孔、５５・・第三浄水、６０・・水道管。
【図１】
0003195046.tif 000003
【図２】
0003195046.tif 000004
【図３】
0003195046.tif 000005